(57)【特許請求の範囲】
【請求項１】
映像信号を映像光線に変換して投射するプロジェクタユニットと、
前記プロジェクタユニットからの映像光線を反射する反射ミラーと、
該反射ミラーからの反射光を投影表示するスクリーンと、
前記プロジェクタユニットと前記スクリーンとが内部に配され装置の外装を形成する筐体と、
を備えたリアプロジェクション方式の画像表示装置において、
前記反射ミラーを固定するための反射ミラー取り付けパネルと、
前記反射ミラー取り付けパネルを前記筐体に固定及び上下左右方向に角度調整を行うためのビスと、
前記筐体の上部リアパネルには前記反射ミラー取り付けパネルの外形形状より小さな凹部を設け、
前記凹部は、前記反射ミラー取り付けパネルより小さな切り抜きを設け、
前記反射ミラー取り付けパネルの外周は、前記凹部の周囲を覆うようにＬ形状であることを特徴とする画像表示装置。
【発明の詳細な説明】
【０００１】
【発明の属する技術分野】
本発明は、リアプロジェクション方式の画像表示装置に関する。
【０００２】
【従来の技術】
従来のリアプロジェクション方式の画像表示装置は、図５に示すように、下部フロントパネル７、上部リアパネル４等で構成される筐体内に、プロジェクタユニット１、反射ミラー３、スクリーン６等が取付けられて構成されていた。画像表示装置のプロジェクタユニット１は、筐体の内部または外部にある機器デバイス等（不指示）が発生する映像信号を映像光線として投射する。反射ミラー３は、プロジェクタユニット１からの映像光線を反射し、映像光線を最終的にスクリーン６に投影させる。このような構成を有する従来の画像表示装置においては、プロジェクタユニット１から映像光線が投射されると、当該映像光線は、その光束の断面積を拡大させながら反射ミラー１に反射してスクリーン６に到達する。このとき、プロジェクタユニット１、スクリーン６、上部リアパネル４および他の筐体部材等相互の取付け誤差等によりスクリーン６に投影された画像が正規の位置からずれることがある。そのため、このような画像表示装置においては、予めプロジェクタユニット１の角度や位置を調整する機構を設けておき、スクリーン６への投影画像がずれたときにその表示位置や角度を調整する必要がある。この点については、従来の画像表示装置ではプロジェクタユニット１に、例えば図６のような機構を設けてプロジェクタユニット１自体の角度、あるいは位置の調整を行っていた。
【０００３】
また、従来のリアプロジェクション方式の画像表示装置では、図７に示すように、反射ミラー３を上部リアパネル４に直接取付けて、支持していた。
【０００４】
【発明が解決しようとする課題】
しかしながら、従来の画像表示装置では、プロジェクタユニット１の角度、あるいは位置を可変せしめるために、例えば図6にしめすような複雑な機構を必要とする上、投射される光束の発光源であるプロジェクタユニット１自体の角度、あるいは位置を直接可変して調整を行うため、その調整機構には高い精度が必要であった。さらに、これらの調整を行うには、下部前面パネル７を取り外す必要があった。
【０００５】
また、従来の画像表示装置では、図７に示すように、リアパネル４に、反射ミラー３を直接取付けているため、樹脂成形にて、リアパネル４を製造しようとする場合、大型の樹脂射出成形装置が必要であった。
本発明は、前記従来の課題を解決するもので、投影画像がずれた場合の表示位置調整を簡便な、かつ低コストで実現すると共に、反射ミラーを支持するためのリアパネルを樹脂成形にて製造する場合、比較的小型の樹脂射出成形装置の使用を可能にして、低コストで製造せしめることを可能とした画像表示装置を提供することを目的とする。
【０００６】
【課題を解決するための手段】
前記従来の課題を解決するために、本発明は、映像信号を映像光線に変換して投射するプロジェクタユニットと、プロジェクタユニットからの映像光線を反射する反射ミラーと反射からの反射光を投影するスクリーンと、これら各要素が取り付けられ、装置の外装を形成する筐体と、を備えたリアプロジェクション方式の画像表示装置において、
前記反射ミラーを固定するための反射ミラー取り付けパネルと、
前記反射ミラー取り付けパネルを前記筐体に固定及び上下左右方向に角度調整を行うためのビスと、
前記筐体の上部リアパネルには前記反射ミラー取り付けパネルの外形形状より小さな凹部を設け、
前記凹部は、前記反射ミラー取り付けパネルより小さな切り抜きを設け、
前記反射ミラー取り付けパネルの外周は、前記凹部の周囲を覆うようにＬ形状としたことを特徴としたものである。
【０００７】
【発明の実施の形態】
請求項１に記載の発明は、反射ミラーを角度可変可能な状態で上部リアパネルに取付けることを特徴とするもので、この機構により、プロジェクタユニットより投射される映像光線を反射する角度を可変する事で、スクリーンに投影された画像のずれを調整可能にする。さらに、この反射ミラーの角度調整を上部リアパネルの外部より可能せしめることにより、筐体外部より容易にスクリーンに投影された画像のずれを調整可能にするという作用を有するものである。
【０００９】
以下に、本発明の請求項１に記載された発明の実施の形態を、図面を参照して説明する。
【００１０】
(実施の形態1)
図１乃至図４は本発明の実施の形態１を説明するための斜視図および断面図である。反射ミラー３は反射ミラー取付けパネル２に固定されている。反射ミラー取付けパネル２は、バネ８を介在してビス９により上部リアパネル４に支持されることによりバネ８の押圧を利用して反射ミラー３のプロジェクタユニット１に対する相対位置および角度が決定される。さらにビス９の締緩により、反射ミラー３のプロジェクタユニット１に対する相対位置および角度の調整が可能になる。このような機構により下部前面パネル７を取り外すこと無く、スクリーン６に投影される画像の、左右および上下方向のずれの調整がビス９の締緩により可能になり、プロジェクタユニット１での画像位置調整項目は、回転方向のみとなる。また、上部リアパネル４を反射ミラー１および反射ミラー取付けパネルの外形形状よりわずかに小さな形状で切り抜くことにより、筐体内への外光の進入を遮断するという目的を保った状態で、上部リアパネル４の体積および重量を低減することが可能になる。
【００１１】
【発明の効果】
以上のように、請求項１の記載の発明によれば、スクリーン上の投影画像の位置ずれが発生した場合の調整が、筐体外部より容易に行うことが可能になる上に、従来のプロジェクタユニット自体の位置を調整する機構と比較して簡単な機構で投影画像の位置ずれの調整が実現でき、その調整機構のための材料費用の削減および製造に要するコストの削減を計ることができる。さらに、上部リアパネルを樹脂成形で製造しようとする場合には、その体積および重量の減少により、射出容量と型締め力の小さな樹脂射出成形装置を用いた製造が可能になり、その製造に要するコストの削減を計ることができるという効果を奏するものである。
【図面の簡単な説明】
【図１】本発明の画像表示装置の全体構成を示す外観透視図
【図２】本発明の画像表示装置の第１の実施の形態について、図１の矢印Ａ方向から見た断面図
【図３】本発明の画像表示装置の第１の実施の形態について、図１の矢印Ｂ方向から見た断面図
【図４】本発明の画像表示装置の第１の実施の形態について、反射ミラー３および反射ミラー取付けパネル２の上部リアパネル４への取付け機構の分離状態を示す斜視図
【図５】従来の画像表示装置の全体構成を示す斜視図
【図６】従来の画像表示装置のプロジェクタユニットの位置調整構造例を示す分解図
【図７】従来の画像表示装置の、反射ミラーの上部リアパネルへの取付け例を示す分解図
【符号の説明】
１  プロジェクタユニット
２  反射ミラー取付けパネル
３  反射ミラー
４  上部リアパネル
５  プロジェクタユニットホルダー
６  スクリーン
７  下部前面パネル
８  バネ
９  ビス
【図１】
0004048767.tif 000002
【図２】
0004048767.tif 000003
【図３】
0004048767.tif 000004
【図４】
0004048767.tif 000005
【図５】
0004048767.tif 000006
【図６】
0004048767.tif 000007
【図７】
0004048767.tif 000008